(57)【特許請求の範囲】
【請求項１】
箱型レンズをバヨネットマウントによりカメラ本体に装着して使用する形式のテレビカメラのアジャスト装置であって、カメラ本体に接合された三脚アダプタを固定するねじ部を有する支持台と、前記支持台に固定され中央部に角形の切欠部およびこの切欠部を貫通する長孔を有するブロック材と、前記切欠部内に配置されフランジ部と軸方向中心に雌ねじ部を有するロック金具と、前記ロック金具と前記ブロック材との間に介在する皿ばねと、前記ブロック材が嵌め込まれるコの字型の切欠部およびこの切欠部を貫通する大小の孔を有するスライド軸と、前記スライド軸の大孔に嵌め込まれ端部に抜け止めのフランジ部を有する軸受と、前記ブロック材，皿ばね，ロック金具，スライド軸の小孔を貫通して前記ロック金具の雌ねじ部にねじ結合されたシャフトを備え、このシャフトを締め付け方向に回転させることにより、前記ブロック材が前記スライド軸に押圧され摩擦力でロックされるようにしたことを特徴とするテレビカメラのアジャスト装置。
【請求項２】
スライド軸は外周部にねじ部を有すると共に、前記スライド軸のねじ部に係合され外周にローレット面を有するつまみと、前記つまみの上下に配置され樹脂材料で形成された摩擦力を軽減するスペーサと、前記つまみの回転に基づき前記スライド軸を上下に摺動可能とすると共にカメラの重量を支持するばね手段と、前記スライド軸を軸方向にガイドすると共に前記つまみを内部に収容するハウジングをさらに備え、垂直方向の光軸調整を可能にしたことを特徴とする請求項１記載のテレビカメラのアジャスト装置。
【請求項３】
スライド軸を上下に摺動可能とするカメラの重量を支持するばね手段はスプリングであることを特徴とする請求項２記載のテレビカメラのアジャスト装置。
【請求項４】
スライド軸を上下に摺動可能とするカメラの重量を支持するばね手段は油圧シリンダーであることを特徴とする請求項２記載のテレビカメラのアジャスト装置。
【請求項５】
スライド軸を上下に摺動可能とするカメラの重量を支持するばね圧を有するスプリングの端部には外周にねじ部を有するリングが配設され、前記リングを締め付けることにより前記スプリングのばね圧を調整可能にしたことを特徴とする請求項３記載のテレビカメラのアジャスト装置。
【請求項６】
締め付け方向に回転させることによりブロック材をスライド軸に押圧するシャフトの外周端部にはローレットが形成され、前記ローレットの形状に合った溝部を有するロックレバーを任意の角度位置で取り付け可能にしたことを特徴とする請求項１ないし請求項５のいずれか１つに記載のテレビカメラのアジャスト装置。
【請求項７】
カメラ本体に接合された三脚アダプタを固定するねじ部は基端部に抜け止めのフランジ部を有すると共に、前記ねじ部のフランジ部に接合されて外周にローレット面を有するつまみと、前記つまみの内壁に圧接されて上下に摺動可能とするスプリングと、前記スプリングを軸方向にガイドするガイド金具と、前記ガイド金具を支持すると共に前記つまみを内部に収容するハウジングと、前記ハウジング内部において前記つまみを一定範囲内で可動自在、かつ離脱しないように支持するフランジ部を有する抜け止め部材をさらに配置し、カメラ本体に結合された三脚アダプタの固定を任意一定の範囲内で行うことを可能にしたことを特徴とする請求項１ないし請求項６のいずれか１つに記載のテレビカメラのアジャスト装置。
【請求項８】
カメラ本体に接合された三脚アダプタを固定するねじ部の先端部は円錐状あるいは球状であることを特徴とする請求項１ないし請求項７のいずれか１つに記載のテレビカメラのアジャスト装置。
【発明の詳細な説明】
【０００１】
【発明の属する技術分野】
本発明はカメラ本体に対して箱型レンズをバヨネットマウントにより装着して使用する形式のテレビカメラにおけるレンズとカメラの位置をアジャストするテレビカメラのアジャスト装置に関するものである。
【０００２】
【従来の技術】
以下、図面を参照しながら従来のこの種のテレビカメラのアジャスト装置について説明する。図３は従来のテレビカメラのアジャスト装置全体の構成を示す説明図、図４は従来のテレビカメラのアジャスト装置の要部を示す斜視図である。図３において、３０は箱型レンズでバヨネットマウント３１によりカメラ本体３２に装着される。３３はカメラ本体３２の底部に設けられた三脚アダプタでアジャスト装置３４を介して固定される。このアジャスト装置３４は箱型レンズ３０とカメラ本体３２の光軸Ｘ等の位置関係を調整するために設けられており、具体的には図４に示すように構成されている。
【０００３】
すなわち、図３に示した三脚アダプタ３３を支持する支持台３５と、支持台３５に設けられた長孔３５ａに挿入して三脚アダプタ３３を固定するねじ３６ａおよびフランジ３６ｂを有するねじ部３６と、支持台３５とねじ部３６の間に介在してそのゆるみを防止するＯリング３７と、フランジ３６ｂに接合されたつまみ３８と、つまみ３８の内壁に圧接されて上下方向に摺動可能なスプリング３９と、スプリング３９を軸方向にガイドするガイド金具４０と、ガイド金具４０を支持すると共に、つまみ３８を内部に収容するハウジング４１と、ハウジング４１を固定して周上に段付きねじ４２が嵌め込まれる雌ねじ部と、端部にフランジ部を有するガイド金具４３と、ガイド金具４３を軸方向にガイドすると共に段付きねじ４２の頭部が軸方向上下に摺動するようなキー溝部４４ａと、外周にねじ部４４ｂを有する取付けベース４４と、ガイド金具４３と取付けベース４４間に挿入されて相互の摩擦力を軽減させるワッシャー４５と、取付けベース４４のねじ部４４ｂに係合されて外周にローレット面４６ａとガイド金具４３のフランジ部を受ける受け座を有するつまみ４６と、ガイド金具４３を間に挟んでつまみ４６に固定されるリング４７により構成され、つまみ４６を回転することによりガイド金具４３とこれに締結された支持台３５がキー溝４４ａに沿って軸方向上下に摺動して移動するので、箱型レンズ３０とカメラ本体３２の位置関係を調整することができる。
【０００４】
【発明が解決しようとする課題】
しかしながら、このような構成では、カメラ本体３２の自重がつまみ４６の回転トルクに負荷されるためカメラ本体３２の高さ調整を容易に行うことができず、また、高さ調整はつまみ４６の１回転に対してねじの１ピッチ分しか高さ方向に移動しないため所望の調整をワンタッチで行うことができないという問題点があった。
【０００５】
本発明は上記従来の問題点を解決するものであり、箱型レンズとカメラ本体の位置調整をワンタッチで行うことができると共に、カメラ本体を支持台にセットした後、垂直方向の光軸調整を容易に行うことができるテレビカメラのアジャスト装置を提供することを目的とする。
【０００６】
【課題を解決するための手段】
本発明のテレビカメラのアジャスト装置は、箱型レンズをバヨネットマウントによりカメラ本体に装着して使用する形式のテレビカメラのアジャスト装置であって、カメラ本体に接合された三脚アダプタを固定するねじ部を有する支持台と、前記支持台に固定され中央部に角形の切欠部およびこの切欠部を貫通する長孔を有するブロック材と、前記切欠部内に配置されフランジ部と軸方向中心に雌ねじ部を有するロック金具と、前記ロック金具と前記ブロック材との間に介在する皿ばねと、前記ブロック材が嵌め込まれるコの字型の切欠部およびこの切欠部を貫通する大小の孔を有するスライド軸と、前記スライド軸の大孔に嵌め込まれ端部に抜け止めのフランジ部を有する軸受と、前記ブロック材，皿ばね，ロック金具，スライド軸の小孔を貫通して前記ロック金具の雌ねじ部にねじ結合されたシャフトを備え、このシャフトを締め付け方向に回転させることにより、前記ブロック材が前記スライド軸に押圧され摩擦力でロックされるようにしたものである。
【０００７】
この発明によれば箱型レンズとカメラ本体の位置調整をワンタッチの操作で行うことができ、また、カメラ本体を支持台にセットした後、両者の垂直方向の光軸の調整を容易に行うことができる。
【０００８】
【発明の実施の形態】
以下、本発明の一実施の形態について図面を参照しながら説明する。
【０００９】
図１は本発明のテレビカメラのアジャスト装置の一実施の形態における全体構成の説明図、図２は本発明のテレビカメラのアジャスト装置の一実施の形態における要部構成を示す斜視図である。図１において、１は箱型レンズでバヨネットマウント２によりカメラ本体３に装着され、また、４はカメラ本体３の底部に接合された三脚アダプタで、ロック装置５によりアジャスト装置６に固定されるという構成であり、このアジャスト装置６により、箱型レンズ１とカメラ本体３の位置関係が調整される。図２はその位置調整機構の具体例を示しており、図中、７は図１に示すカメラ本体３に接合された三脚アダプタ４を固定するねじ部を有する支持台、８は中央に角形の切欠部８ａと切欠部８ａを貫通する長孔８ｂを有するブロック材で、支持台７にねじにより取り付けられ、ブロック片９と対をなしている。１０はフラット面が形成されたフランジ部と軸方向中心に雌ねじ部を有するロック金具であり、ブロック材８とブロック片９の間の角形の切欠部８ａ内に配置されている。１１は皿ばねであり、ロック金具１０とブロック材８との間に介在している。１２はコの字型の切欠部およびこの切欠部を貫通する大孔１２ａと小孔１２ｂを有するスライド軸であり、ブロック材８とブロック片９が嵌め込まれている。１３は端部に抜け止めのフランジ部を有する軸受であり、スライド軸１２の大孔１２ａに嵌め込まれている。１４は外周端部にローレット形状を有するシャフトであり、軸受１３，ブロック材８，皿ばね１１，ロック金具１０，ブロック片９を貫通してスライド軸１２の小孔１２ｂに嵌め込まれてロック金具１０の雌ねじ部にねじ結合されている。１５は外周にローレット面を有するつまみであり、スライド軸１２の外周ねじ部に係合されている。１６は樹脂材料で形成された摩擦力を軽減するスペーサであり、つまみ１５の上下に配置されている。１７はカメラ本体３の重量を支持するばね圧を有するスプリングであり、スライド軸１２の内部に収容されてブロック材８およびブロック片９にばね圧を加えている。なお、このスプリング１７によるばね手段は周知の油圧シリンダーにより構成してもよい。１８ａ，１８ｂは２種類のハウジングであり、スライド軸１２を軸方向にガイドすると共に、つまみ１５を内部に収容してねじにより相互に締結されている。
【００１０】
１９は外周にねじ部を有するリングであり、スライド軸１２のねじ部に係合されてスプリング１７の端部に面を当て付けている。２０はシャフト１４のローレット形状に合った溝部を有するロックレバーであり、シャフト１４の端部に嵌め込まれてねじにより固定されている。２１は基端部に抜け止めのフランジ部２１ａを有するねじ部であり、カメラ本体３に接合された三脚アダプタ４を固定している。２２は外周にローレット面を有するつまみであり、ねじ部２１のフランジ部２１ａにねじにより取り付けられている。２３はスプリングであり、つまみ２２の内壁に圧接されている。２４はガイド金具であり、スプリング２３を軸方向にガイドしている。２５はハウジングであり、ガイド金具２４を支持すると共に、つまみ２２を内部に収容して支持台７にねじにより取付けられている。２６はフランジ部を有する抜け止め部材であり、ねじ部２１の軸心に設けられた雌ねじ部にねじ結合されている結果、つまみ２２は一定範囲内で可動自在、かつ離脱しないように支持される。なお、２７は平行キーであり、スライド軸１２に設けられたキー溝部（図示省略）に嵌合してこのスライド軸１２の軸方向の移動を可能としている。
【００１１】
次にその動作について説明する。上記の構成においては、カメラ本体３はシャフト１４を支軸として図１の矢印Ａ方向に揺動可能であり、また、スライド軸１２の軸方向移動により矢印Ｂ方向に移動可能である。したがって、矢印Ａ方向の位置調整が完了した状態でシャフト１４を締め付け方向に回転させることにより、ブロック材８の角形の切欠部８ａにフラット面を当て付けているロック金具１０がねじの作用で引き込まれ、対向している皿ばね１１が押し潰され、このばね圧により、ブロック材８，ブロック片９が軸受１３を通してスライド軸１２に摩擦力で押圧され、ブロック材８に取り付けられている三脚アダプタ４を固定した支持台７の矢印Ａ方向の揺動がロックされる。さらに、この状態において、つまみ１５を回転することにより、ねじ係合されたスライド軸１２がハウジング１８ａ，１８ｂ内部においてスプリング１７のばね圧により上下に摺動し、これによりカメラ本体３に接合された三脚アダプタ４を固定した支持台７が矢印Ｂ方向に摺動するので垂直方向の光軸Ｙの位置調整を容易に行うことができる。この際、カメラ本体３の自重はシャフト１４とスプリング１７により支えられているので、矢印Ａ方向，Ｂ方向の位置調整時にこの自重による支障、例えばつまみ１５の回転が重くなるようなことはない。
【００１２】
なお、リング１９を回転することによって、スライド軸１２を上下に摺動可能とするスプリング１７を伸縮させることができるので、そのばね圧を任意に変えることができ、また、シャフト１４の外周端部にローレットを形成し、嵌め込まれるロックレバー２０にローレット形状に合った溝部を設けることにより、ロックレバー２０はシャフト１４に対して３６０°任意の角度位置で取り付けることが可能となり、ロックレバー２０の回転を任意の範囲で決めることができる。さらに、三脚アダプタ４を固定するねじ部２１にスプリング２３のばね圧で上下に摺動するつまみ２２をねじ結合することにより、ハウジング２５の内部において抜け止め部材２６の作用により、つまみ２２を簡単に回すだけでカメラ本体３に結合された三脚アダプタ４とねじ部２１を容易に結合することができると共に、三脚アダプタ４と支持台７の取付位置のばらつきを吸収することができる。さらにまた、三脚アダプタ４を固定するねじ部２１の先端を円錐状あるいは球状とすれば、三脚アダプタ４のねじ孔に対してねじ部２１の先端部を容易に係合することができる。
【００１３】
以上のように、本実施の形態によれば、カメラ本体に対してバヨネットマウントにより着脱される箱型レンズとカメラ本体の位置調整をワンタッチの操作で容易に行うことができ、また、カメラを支持台にセットした後、箱型レンズとカメラ本体の垂直方向の光軸調整をカメラ本体の自重に影響されることなく容易に行うことができる。
【００１４】
【発明の効果】
以上のように本発明によれば、箱型レンズとカメラ本体の位置調整が完了した状態においてその支持台をワンタッチの操作でロックすることができ、また、カメラを支持台にセットした後、箱型レンズとカメラ本体の垂直方向の光軸調整をカメラ本体の自重に影響されることなく容易に行うことができるという有利な効果が得られる。
【図面の簡単な説明】
【図１】本発明のテレビカメラのアジャスト装置の一実施の形態における全体構成の説明図
【図２】本発明のテレビカメラのアジャスト装置の一実施の形態における要部構成を示す斜視図
【図３】従来のテレビカメラのアジャスト装置全体の説明図
【図４】従来のテレビカメラのアジャスト装置の要部を示す斜視図
【符号の説明】
１  箱型レンズ
２  バヨネットマウント
３  カメラ本体
４  三脚アダプタ
５  ロック装置
６  アジャスト装置
７  支持台
８  ブロック材
９  ブロック片
１０  ロック金具
１１  皿ばね
１２  スライド軸
１３  軸受
１４  シャフト
１５  つまみ
１６  スペーサ
１７  スプリング
１８ａ，１８ｂ  ハウジング
１９  リング
２０  ロックレバー
２１  ねじ部
２２  つまみ
２３  スプリング
２４  ガイド金具
２５  ハウジング
２６  抜け止め部材
２７  平行キー
【図１】
0004000682.tif 000002
【図２】
0004000682.tif 000003
【図３】
0004000682.tif 000004
【図４】
0004000682.tif 000005